(57)【特許請求の範囲】
【請求項１】
構造物に取り付け可能なワイヤハーネスプロテクタであって、
ワイヤハーネスをその延長方向に沿って収容するためのワイヤハーネス収容部として中空部を備えた中空筒状のプロテクタ本体と、
該プロテクタ本体の外面に形成された、前記構造物に取り付けるための取付部と、
該取付部とは反対側の前記プロテクタ本体の部分に形成され、前記延長方向に延長する割れ目部を有しており、該割れ目部によって観音開き状に開閉可能である開閉部と、
前記割れ目部を挟んで両側に位置するように前記開閉部の外面に設けられた複数の係止部と、
前記割れ目部を覆うように前記開閉部の外面の上に配置され、前記割れ目部を形成し且つ前記延長方向と交差する方向に対向する前記開閉部の分割面どうしが対向状態に保持されるように前記複数の係止部にそれぞれ係脱自在に係合する複数の被係止部を有するベルト状ロック部材と、
を備え、
前記ベルト状ロック部材が、前記プロテクタ本体から前記延長方向に張り出すように延長しており、
前記ワイヤハーネス収容部に前記ワイヤハーネスが収容され且つ前記ベルト状ロック部材の前記被係止部が前記係止部と係合した状態で、当該ワイヤハーネスが当該ベルト状ロック部材側に該ベルト状ロック部材とともに引き上げられた際に、前記被係止部と前記係止部との係合が解除され、これにより前記ワイヤハーネスが前記開閉部を押し上げて開放し且つ前記割れ目部を介して前記ワイヤハーネス収容部から導出されることを特徴とするワイヤハーネスプロテクタ。
【請求項２】
前記ベルト状ロック部材の前記プロテクタ本体から前記延長方向に張り出すように延長した部分が、前記ワイヤハーネスにテープ巻きで結束されることを特徴とする請求項１記載のワイヤハーネスプロテクタ。
【請求項３】
前記プロテクタ本体に、前記取付部として前記構造物への取付け用のクリップが一体に形成されていることを特徴とする請求項１または２記載のワイヤハーネスプロテクタ。
【請求項４】
前記プロテクタ本体の前記係止部が突起であり、前記ベルト状ロック部材の前記被係止部が前記突起と係合する孔であることを特徴とする請求項１〜３のいずれか記載のワイヤハーネスプロテクタ。
【請求項５】
前記プロテクタ本体の前記係止部が孔であり、前記ベルト状ロック部材の前記被係止部が前記孔に係合する突起であることを特徴とする請求項１〜３のいずれか記載のワイヤハーネスプロテクタ。
【請求項６】
前記プロテクタ本体の前記係止部各々が、前記分割面と面一となる分割面を有する分割自在な突起対であることを特徴とする請求項４記載のワイヤハーネスプロテクタ。
【請求項７】
前記プロテクタ本体の前記係止部が前記開閉部のそれぞれの外面に設けられて、単独で係止部を構成し、前記ベルト状ロック部材の前記被係止部は前記係止部のそれぞれに対応して設けられていることを特徴とする請求項１〜５のいずれか記載のワイヤハーネスプロテクタ。
【発明の詳細な説明】
【技術分野】
【０００１】
本発明は、ワイヤハーネスを収容して構造物に取り付けられるワイヤハーネスプロテクタに関し、特に、環境対応策として、構造物上のワイヤハーネスの分別回収のための解体作業を容易にするための改良に関する。
【背景技術】
【０００２】
近年、廃棄物中の資源のリサイクル化等により環境への負荷を軽減する環境対応策の一つとして、使用済み製品の廃棄時に各種の部品の分別回収のための解体作業を容易にする工夫等が要求されている。
【０００３】
このような分別回収を容易にするワイヤハーネスプロテクタの一例として、図１１、図１２に示すように、ウェルドライン１０１を破断させながらワイヤハーネスＷを引き出すようにしたワイヤハーネスプロテクタ１００がある（例えば、特許文献１参照）。
【０００４】
上記特許文献１に開示されたワイヤハーネスプロテクタ１００では、ワイヤハーネスＷを収容する本体１０２の一端から他端までの構造物取付側にウェルドライン１０１が設けられており、本体１０２に装着されたクリップ１０３が車両のボディパネル等の構造物Ｂに嵌め込まれることで、ワイヤハーネスＷが構造物Ｂ上に配索される。
【０００５】
分別回収のための解体時に、ワイヤハーネスＷを構造物Ｂから剥すに際し、ワイヤハーネスＷに専用の治具を引っ掛けてワイヤハーネスＷを図９中の左方向に向けて引っ張ることで、ワイヤハーネスＷとともにワイヤハーネスプロテクタ１００が構造物Ｂから分離される。
【０００６】
そして、本体１０２からクリップ１０３を抜き出して、ワイヤハーネスプロテクタ１００をひっくり返しにしてウェルドライン１０１を上面に向けてから、ワイヤハーネスプロテクタ１００を一方の手で押さえ、他方の手でウェルドライン１０１を押すようにワイヤハーネスＷを引っ張り上げる。
【０００７】
すると、ウェルドライン１０１の一端に荷重がかかり、ワイヤハーネスＷの引き上げに伴ってウェルドライン１０１が一端から他端に向けて連続的に破断されていくことで、ワイヤハーネスＷがワイヤハーネスプロテクタ１００から分離される。
【０００８】
ワイヤハーネスＷがワイヤハーネスプロテクタ１００から分離されることで、銅線等を含むワイヤハーネスＷと、樹脂材料からなるワイヤハーネスプロテクタ１００と、が分別される。
【０００９】
【特許文献１】特開２００７−２２１８７０号公報
【発明の開示】
【発明が解決しようとする課題】
【００１０】
ところが、上記特許文献１に開示されたワイヤハーネスプロテクタ１００は、以下の四つの課題を有する。
【００１１】
課題の一つ目は、分別のための解体時に、本体１０２に挿通されているクリップ１０３を本体１０２から分離させるに際し、専用の治具によりクリップ１０３を本体１０２から抜き出すか、或いは、カッター等でクリップ１０３を切断する等しなければならないことである。その場合、ワイヤハーネスＷが長尺であると、クリップ１０３を本体１０２から抜き出す作業が面倒であり、カッター等で切断する作業とともに、解体作業を簡単に行えないおそれがある。
【００１２】
課題の二つ目は、同じく分別のための解体時に、構造物Ｂ側に配置されているウェルドライン１０１がワイヤハーネスＷの引き上げ方向に向くように、ワイヤハーネスプロテクタ１００をひっくり返さなければならないので、その作業をし難いことである。
【００１３】
課題の三つ目は、同じく分別のための解体時に、ウェルドライン１０１を目印にしてワイヤハーネスＷを引き上げるために、作業者がウェルドライン１０１を探さなければならなず、そのため、作業者に熟練を要することになって、経験の浅い作業者では、作業が容易でないことである。
【００１４】
課題の四つ目は、ワイヤハーネスＷの位置決めをするために、ワイヤハーネスプロテクタ１００の端部をワイヤハーネスＷにテープ巻きしている場合、分別のための解体時に、カッター等で、そのテープ巻きを破断しなければならない。そのため、作業性が良好とは言えないことである。
【００１５】
本発明の目的は、上記課題を解消することに係り、ワイヤハーネスを構造物から取り外す作業を簡単にすることで分別回収のための解体作業性を良好にし、且つ効率化することができる環境性能に優れたワイヤハーネスプロテクタを提供することにある。
【課題を解決するための手段】
【００１６】
本発明の上記目的は、下記構成により達成される。
（１）  構造物に取り付け可能なワイヤハーネスプロテクタであって、
ワイヤハーネスをその延長方向に沿って収容するためのワイヤハーネス収容部として中空部を備えた中空筒状のプロテクタ本体と、
該プロテクタ本体の外面に形成された、前記構造物に取り付けるための取付部と、
該取付部とは反対側の前記プロテクタ本体の部分に形成され、前記延長方向に延長する割れ目部を有しており、該割れ目部によって観音開き状に開閉可能である開閉部と、
前記割れ目部を挟んで両側に位置するように前記開閉部の外面に設けられた複数の係止部と、
前記割れ目部を覆うように前記開閉部の外面の上に配置され、前記割れ目部を形成し且つ前記延長方向と交差する方向に対向する前記開閉部の分割面どうしが対向状態に保持されるように前記複数の係止部にそれぞれ係脱自在に係合する複数の被係止部を有するベルト状ロック部材と、
を備え、
前記ベルト状ロック部材が、前記プロテクタ本体から前記延長方向に張り出すように延長しており、
前記ワイヤハーネス収容部に前記ワイヤハーネスが収容され且つ前記ベルト状ロック部材の前記被係止部が前記係止部と係合した状態で、当該ワイヤハーネスが当該ベルト状ロック部材側に該ベルト状ロック部材とともに引き上げられた際に、前記被係止部と前記係止部との係合が解除され、これにより前記ワイヤハーネスが前記開閉部を押し上げて開放し且つ前記割れ目部を介して前記ワイヤハーネス収容部から導出されることを特徴とするワイヤハーネスプロテクタ。
【００１７】
（２）  前記ベルト状ロック部材の前記プロテクタ本体から前記延長方向に張り出すように延長した部分が、前記ワイヤハーネスにテープ巻きで結束されることを特徴とする前記（１）記載のワイヤハーネスプロテクタ。
【００１８】
（３）  前記プロテクタ本体に、前記取付部として前記構造物への取付け用のクリップが一体に形成されていることを特徴とする前記（１）または（２）記載のワイヤハーネスプロテクタ。
【００１９】
（４）  前記プロテクタ本体の前記係止部が突起であり、前記ベルト状ロック部材の前記被係止部が前記突起と係合する孔であることを特徴とする前記（１）〜（３）のいずれか記載のワイヤハーネスプロテクタ。
【００２０】
（５）  前記プロテクタ本体の前記係止部が孔であり、前記ベルト状ロック部材の前記被係止部が前記孔に係合する突起であることを特徴とする前記（１）〜（３）のいずれか記載のワイヤハーネスプロテクタ。
【００２１】
（６）  前記プロテクタ本体の前記係止部各々が、前記分割面と面一となる分割面を有する分割自在な突起対であることを特徴とする前記（４）記載のワイヤハーネスプロテクタ。
【００２２】
（７）  前記プロテクタ本体の前記係止部が前記開閉部のそれぞれの外面に設けられて、単独で係止部を構成し、前記ベルト状ロック部材の前記被係止部は前記係止部のそれぞれに対応して設けられていることを特徴とする前記（１）〜（５）のいずれか記載のワイヤハーネスプロテクタ。
【００２３】
前記（１）の構成によれば、ワイヤハーネスをベルト状ロック部材とともに引き上げることで、ベルト状ロック部材が係止突起から係止解除され、開閉部がワイヤハーネス収容部を開放する。これにより、分別のための解体時に、ワイヤハーネスを引き上げるだけで、ワイヤハーネスをプロテクタから離脱することができるとともに構造物から簡単に分離することができ、作業性を良好にして効率化を図ることができる。
【００２４】
上記（２）の構成によれば、ベルト状ロック部材がワイヤハーネスにテープ巻きで結束されることで、ワイヤハーネスがテープ巻きによりベルト状ロック部材に一体化されるために、ワイヤハーネスの配索状態ではワイヤハーネスとプロテクタとが適正に位置決めされ、ワイヤハーネスの姿勢が安定する。また、解体時には、ワイヤハーネスを引き上げるだけで、一体化されたワイヤハーネスとベルト状ロック部材とをいっしょに引き上げることができる。そのため、ワイヤハーネスの構造物からの分離をさらに簡単に行うことができる。
【００２５】
上記（３）の構成によれば、ワイヤハーネスプロテクタを構造物へ取付ける際に、ワイヤハーネスプロテクタを構造物に直接取り付けることができる。そのため、従来のもののように、本体にクリップを装着する必要がなくなるので、配索作業を簡単に行うことができる。
【００２６】
上記（４）、（５）の構成によれば、簡単な構成で係止部を形成できるので、プロテクタ本体、ベルト状ロック部材の製造が容易である。
【００２７】
上記（６）の構成によれば、１つの係止孔で分割された係止突起対を係止できるので、ベルト状ロック部材の構成が簡単であり、製造が容易である。
【００２８】
上記（７）の構成によれば、開閉部のそれぞれが確実に係止されるので、ワイヤハーネスの収容状態を安定して保持することができる。
【発明の効果】
【００２９】
本発明に係るワイヤハーネスプロテクタでは、構造物上に配索されているワイヤハーネスを構造物から取り外す際に、ワイヤハーネスをベルト状ロック部材とともに引き上げるだけで、プロテクタ本体のワイヤハーネス収容部が開放されて、ワイヤハーネスを構造物から取り外すことができる。
【００３０】
即ち、ワイヤハーネスを構造物から取り外す際に、ワイヤハーネスを取り外すための専用の治具や、クリップおよびテープ巻きを切断するためのカッター等を必要とせずに、極めて簡単にワイヤハーネスを構造物から取り外すことができる。
【００３１】
従って、ワイヤハーネスが配索されている構造物を廃棄する際における、ワイヤハーネスの分別回収のための解体作業を容易に且つ効率化することができ、廃棄物中の資源のリサイクル化等の環境対応に適したワイヤハーネスの分離・分別回収を容易にすることができる。
【発明を実施するための最良の形態】
【００３２】
以下、本発明に係るワイヤハーネスプロテクタの好適な実施形態について、図面を参照して詳細に説明する。
【００３３】
図１〜図８は本発明に係るワイヤハーネスプロテクタの一実施形態を示すもので、図１は本発明に係るワイヤハーネスプロテクタの一実施形態に適用されるプロテクタ本体の前方斜め上方から視た外観斜視図、図２は図１に示したプロテクタ本体のI−I線断面図、図３は本発明に係るワイヤハーネスプロテクタの一実施形態に適用されるベルト状ロック部材の前方斜め上方から視た外観斜視図、図４は本発明に係るワイヤハーネスプロテクタの一実施形態の前方斜め上方から視た外観斜視図である。
【００３４】
また、図５は図４に示したワイヤハーネスプロテクタのII−II線断面図、図６はワイヤハーネスプロテクタからワイヤハーネスを取り外す手順の第１段階を説明する側面図、図７は図６に示したワイヤハーネスプロテクタからワイヤハーネスを取り外す手順の第２段階を説明する側面図、図８は図６に示したワイヤハーネスプロテクタからワイヤハーネスを取り外す手順の第３段階を説明する側面図である。
【００３５】
この一実施形態のワイヤハーネスプロテクタ１０は、ワイヤハーネスＷを収容するプロテクタ本体１１と、このプロテクタ本体１１に装着されるベルト状ロック部材１２と、を備えて、ワイヤハーネスＷを車両のボディパネル等の構造物Ｂに固定するものである。
【００３６】
図１に示すように、プロテクタ本体１１は、若干の可撓性を有する樹脂材等の高分子材料を用いて、断面視矩形Ｃ字形状の筒状に形成されている。
【００３７】
プロテクタ本体１１は、底板１３と、底板１３の両側端部に接続された一対の側板１４，１５と、側板１４，１５の上端部に接続された一対の天板である開閉部１６，１７とを有する。
【００３８】
開閉部１６，１７は、底板１３の半分の幅寸法を有しており、その中央端縁部に、長手方向（ワイヤハーネスの軸方向）の一端部開口側から他端部開口側までの全長に渡って一対の分割面１８，１９をそれぞれ有する。分割面１８，１９は、ワイヤハーネスＷの軸方向に平行に配置されて割れ目部２７を構成している。
【００３９】
また、プロテクタ本体１１は、分割面１８，１９と同一の面を有して、開閉部１６，１７上に４対の分割係止突起２０，２１をそれぞれ有する。
【００４０】
図２に示すように、プロテクタ本体１１は、底板１３の下面中央部に、構造物Ｂへの取付け用の２個のクリップ２２が一体に形成されている。
【００４１】
プロテクタ本体１１は、一対の分割面１８，１９が当接されることで、分割係止突起２０，２１が一体の係止突起形状に形作られる。そして、プロテクタ本体１１は、内側に、ワイヤハーネス収容部２３が形成される。
【００４２】
図３に示すように、ベルト状ロック部材１２は、弾性を有する樹脂材等の高分子材料を用いて、プロテクタ本体１１よりも小さい厚さ寸法を有して板形状に形成されている。
【００４３】
また、ベルト状ロック部材１２は、プロテクタ本体１１よりも長く、プロテクタ本体１１からオーバーハング状に張り出す長さ寸法を有しており、プロテクタ本体１１の４個の分割係止突起２０，２１に対応した４箇所に係止孔２４をそれぞれ有する。
【００４４】
そして、ベルト状ロック部材１２は、反係止孔２４側に、プロテクタ本体１１からオーバーハングする張出部２５を有する。この張出部２５は、ワイヤハーネスＷと結束するためのテープ巻き付け部として機能する。
【００４５】
図４に示すように、ワイヤハーネスプロテクタ１０は、一対の分割面１９，２０がそれぞれ当接されて一体の係止突起形状に形作られる分割係止突起２０，２１に、ベルト状ロック部材１２の係止孔２４がそれぞれ係止されることで、プロテクタ本体１１とベルト状ロック部材１２とが一体的に組み立てられる。
【００４６】
図５に示すように、ベルト状ロック部材１２がプロテクタ本体１１に装着されることで、分割面１９，２０がそれぞれ当接された状態が保持され、プロテクタ本体１１が箱形状に形成される。
【００４７】
図６に示すように、ワイヤハーネスプロテクタ１０は、使用にあたり、プロテクタ本体１１のワイヤハーネス収容部２３にワイヤハーネスＷが収められ、プロテクタ本体１１の分割係止突起２０，２１に、ベルト状ロック部材１２の係止孔２４がそれぞれ係止される。
【００４８】
そして、プロテクタ本体１１のクリップ２２が構造物Ｂに形成されているクリップ孔Ｂ１に係止されてから、ワイヤハーネスＷの位置決め、即ち、プロテクタ本体１１のワイヤハーネス収容部２３内において、ワイヤハーネスＷを筒方向に前後させてワイヤハーネスＷの弛みや余長を無くした後に、ベルト状ロック部材１２の張出部２５にテープ巻き２６が施される。
【００４９】
これにより、ワイヤハーネスＷとワイヤハーネスプロテクタ１０との組体が構造物Ｂに取り付けられて、ワイヤハーネスＷが構造物Ｂ上の所定位置に配索される。
【００５０】
次に、図６、図７、図８を参照して、ワイヤハーネスプロテクタ１０からワイヤハーネスＷを取り外す手順について説明する。
【００５１】
ワイヤハーネスＷが配索されている構造物Ｂを廃棄する必要が生じた際に、まず、ワイヤハーネスＷが構造物Ｂから離れる方向である図６中の矢印方向に引き上げられる。このとき、ワイヤハーネスＷは、テープ巻き２６によって、ベルト状ロック部材１２の張出部２５において結束されているために、ワイヤハーネスＷの引き上げ力がテープ巻き２６を介してベルト状ロック部材１２の張出部２５に与えられる。
【００５２】
図７に示すように、ワイヤハーネスＷがベルト状ロック部材１２とともに構造物Ｂから離れる方向に引き上げられることで、ベルト状ロック部材１２が、プロテクタ本体１１側を凸として弓なり形状にしなり始め、これに伴う反力により、４個の係止孔２４のうちの、張出部２５寄りの係止孔２４が、プロテクタ本体１１の分割係止突起２０，２１から外れる。
【００５３】
これにより、プロテクタ本体１１は、分割面１８，１９からなる割れ目部２７を有する開閉部１６，１７が、その割れ目部２７の長手方向一端側から弾性変形されながら観音開き状に開かれていき、ワイヤハーネス収容部２３が開放され始める。
【００５４】
図８に示すように、ワイヤハーネスＷがさらに引き上げられることで、ベルト状ロック部材１２がしなり続け、その反力により、４個の係止孔２４のうちの、残りの係止孔２４が、プロテクタ本体１１の分割係止突起２０，２１から順次外れていく。
【００５５】
これにより、プロテクタ本体１１の開閉部１６，１７が開かれて、ワイヤハーネス収容部２３が開放され、ワイヤハーネスＷとベルト状ロック部材１２とがプロテクタ本体１１から離脱することで分別がなされる。
【００５６】
このとき、解体作業者は、ワイヤハーネスを取り外すための専用の治具や、クリップおよびテープ巻きを切断するためのカッター等を用いずに、ワイヤハーネスＷを引き上げるだけの単純作業を行うこととなる。
【００５７】
以上説明したように、ワイヤハーネスプロテクタ１０によれば、構造物Ｂ上に配索されているワイヤハーネスＷを構造物Ｂから取り外す際に、ワイヤハーネスＷをベルト状ロック部材１２とともに引き上げるだけで、プロテクタ本体１１が開放されて、ワイヤハーネスＷを構造物Ｂから取り外すことができる。
【００５８】
即ち、ワイヤハーネスＷを構造物Ｂから取り外す際に、ワイヤハーネスＷを取り外すための専用の治具や、クリップおよびテープ巻きを切断するためのカッター等を必要とせずに、極めて簡単にワイヤハーネスＷを構造物から取り外すことができる。
【００５９】
従って、ワイヤハーネスＷが配索されている構造物Ｂを廃棄する際における、ワイヤハーネスＷの分別回収のための解体作業を容易に且つ効率化することができ、廃棄物中の資源のリサイクル化等の環境対応に適したワイヤハーネスＷの分離・分別回収を容易にすることができる。
【００６０】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００６１】
例えば、テープ巻きによってワイヤハーネスをベルト状ロック部材に連結するのに代えて、一般に市販されている結束ファスナー等の汎用手段を用いたり、或いは、ベルト状ロック部材の張出部にワイヤハーネスを保持するためのＣ字形状の把持部を形成したりしても良い。また、ベルト状ロック部材をワイヤハーネスに結束せずに、ワイヤハーネスをベルト状ロック部材の張出部に重なるように引き上げるようにしても良い。
【００６２】
また、図９に示すように、一対の開閉部のそれぞれに、並列に独立した係止突起を設けても良い。この場合、ベルト状ロック部材の係止孔は、図１０に示すように、係止突起に対応して並列に設けられる。また、プロテクタ本体に係止孔を設け、ベルト状ロック部材に係止突起を設けてもよい。
【００６３】
さらに、ベルト状ロック部材は、図示した樹脂製に代えて、金属製であっても良い。そうすれば、ワイヤハーネスといっしょにベルト状ロック部材をプロテクタ本体から分離することで、銅線等を含むワイヤハーネスおよび金属製のベルト状ロック部材と、樹脂材料からなるプロテクタ本体と、を分別できるために、分別作業の効率をさらに向上させることができる。
【図面の簡単な説明】
【００６４】
【図１】本発明に係るワイヤハーネスプロテクタの一実施形態に適用されるプロテクタ本体の前方斜め上方から視た外観斜視図である。
【図２】図１に示したプロテクタ本体のI−I線断面図である。
【図３】本発明に係るワイヤハーネスプロテクタの一実施形態に適用されるベルト状ロック部材の前方斜め上方から視た外観斜視図である。
【図４】本発明に係るワイヤハーネスプロテクタの一実施形態の前方斜め上方から視た外観斜視図である。
【図５】図４に示したワイヤハーネスプロテクタのII−II線断面図である。
【図６】ワイヤハーネスプロテクタからワイヤハーネスを取り外す手順の第１段階を説明する側面図である。
【図７】図６に示したワイヤハーネスプロテクタからワイヤハーネスを取り外す手順の第２段階を説明する側面図である。
【図８】図６に示したワイヤハーネスプロテクタからワイヤハーネスを取り外す手順の第３段階を説明する側面図である。
【図９】プロテクタ本体の変形例の斜視図である。
【図１０】ベルト状ロック部材の変形例の斜視図である。
【図１１】従来のワイヤハーネスプロテクタの断面図である。
【図１２】図９に示したワイヤハーネスプロテクタからワイヤハーネスを取り外す際の概略図である。
【符号の説明】
【００６５】
１０  ワイヤハーネスプロテクタ
１１  プロテクタ本体
１２  ベルト状ロック部材
１８  分割面（割れ目部）
１９  分割面（割れ目部）
２０  分割係止突起（係止突起）
２１  分割係止突起（係止突起）
２２  クリップ
２３  ワイヤハーネス収容部
２４  係止孔（被係止部）
２６  テープ巻き
２７  割れ目部
Ｂ  構造物
Ｗ  ワイヤハーネス
【図１】
0005088958.tif 000002
【図２】
0005088958.tif 000003
【図３】
0005088958.tif 000004
【図４】
0005088958.tif 000005
【図５】
0005088958.tif 000006
【図６】
0005088958.tif 000007
【図７】
0005088958.tif 000008
【図８】
0005088958.tif 000009
【図９】
0005088958.tif 000010
【図１０】
0005088958.tif 000011
【図１１】
0005088958.tif 000012
【図１２】
0005088958.tif 000013